(57)【要約】【課題】梱包材に、これを構成するベース板を挟んだ両側においてそれぞれ、被梱包物を合理的に保持できる構造を付与する。【解決手段】ベース板２との間で被梱包物Ｍを保持する押さえシート３を備え、被梱包物Ｍを保持した状態で外箱Ｂ内に納められる梱包材１である。ベース板２は、第一縦辺部４と第二縦辺部５との間にあってベース板２を左右に区分する山折り用箇所８と、上辺部６よりも中心側にあって上辺部６と実質的に平行をなす上側谷折り用線９と、下辺部７よりも中心側にあって下辺部７と実質的に平行をなす下側谷折り用線１０と、上辺部６と上側谷折り用線９間の上側領域１３を左右に分離する上側スリット１５と、下辺部７と下側谷折り用線１０間の下側領域１４を左右に分離する下側スリット１６とを有する。押さえシート３は、第一縦辺部４に一端部３ａ側を止着し第二縦辺部５に他端部３ｂ側を止着させている。【選択図】図１
2018177257.tif 000002
【特許請求の範囲】
【請求項１】
ベース板と、
前記ベース板の表面側との間で被梱包物を保持する押さえシートとを備えてなり、
前記被梱包物を保持した状態で外箱内に納められる梱包材であって、
前記ベース板は、第一縦辺部とこれに対向する第二縦辺部との間にあって前記ベース板を左右に区分する山折り用箇所と、
上辺部よりも前記ベース板の中心側にあって前記上辺部と実質的に平行をなす上側谷折り用線と、
下辺部よりも前記ベース板の中心側にあって前記下辺部と実質的に平行をなす下側谷折り用線と、
前記上辺部と前記上側谷折り用線との間にある上側領域を左右に分離する前記山折り用箇所を通る仮想の直線に実質的に沿った上側スリットと、
前記下辺部と前記下側谷折り用線との間にある下側領域を左右に分離する前記山折り用箇所を通る仮想の直線に実質的に沿った下側スリットとを有しており、
前記押さえシートは、前記第一縦辺部に一端部側を止着し、かつ、前記第二縦辺部に他端部側を止着させており、
前記ベース板における前記第一縦辺部と前記山折り用箇所と上側谷折り用線と下側谷折り用線とに囲まれた第一領域、及び、前記ベース板における前記第二縦辺部と前記山折り用箇所と上側谷折り用線と下側谷折り用線とに囲まれた第二領域の双方又はいずれか一方において前記ベース板の表面と前記押さえシートとの間に前記被梱包物を入れ込み、前記山折り用箇所を利用した折りにより前記第一領域の裏面側に前記第二領域が位置されるようにすることで前記保持がなされると共に、
前記ベース板の前記上側領域における前記上側スリットを挟んだ一方側は、前記上側谷折り用線を利用した折りにより前記上側領域を横向きにした状態で、前記第一領域側において、前記外箱の天面に突き当たり、
前記ベース板の前記上側領域における前記上側スリットを挟んだ他方側は、前記上側谷折り用線を利用した折りにより前記上側領域を横向きにした状態で、前記第二領域側において、前記外箱の天面に突き当たり、
前記ベース板の前記下側領域における前記下側スリットを挟んだ一方側は、前記下側谷折り用線を利用した折りにより前記下側領域を横向きにした状態で、前記第一領域側において、前記外箱の底面に突き当たり、
前記ベース板の前記下側領域における前記下側スリットを挟んだ他方側は、前記下側谷折り用線を利用した折りにより前記下側領域を横向きにした状態で、前記第二領域側において、前記外箱の底面に突き当たるようになっている、梱包材。
【請求項２】
前記ベース板は、前記山折り用箇所と前記第二縦辺部との間において、前記山折り用箇所と実質的に平行をなす追加山折り用線によって左右に区分されており、
前記追加山折り用線と前記第二縦辺部との間の外側領域が、前記山折り用箇所を利用した折りにより前記第一領域の裏面側に前記第二領域が位置されるようにしたときに、前記山折り用箇所と前記追加山折り用線との間の内側領域と前記第一領域との間に折り込まれるようになっていると共に、
前記外側領域に前記山折り用箇所及び前記追加山折り用線と実質的に平行をなす補助谷折り用線を有してなる、請求項１に記載の梱包材。
【請求項３】
前記外側領域に、隣り合う補助谷折り用線との間に間隔開けて、二以上の補助谷折り用線を備えさせてなる、請求項２に記載の梱包材。
【発明の詳細な説明】
【技術分野】
【０００１】
この発明は、被梱包物を保持した状態で外箱内に納められて、外箱内の所望の位置に前記被梱包物を位置づける梱包材の改良に関する。
【背景技術】
【０００２】
梱包用の内装材（梱包材）として、特許文献１に示されるものがある。この内装材は、ベースボードと押さえシートとから構成される。ベースボードの左右には下向きに折り返される立ち下がり部分がそれぞれ形成されている。押さえシートはベースボードの左右にそれぞれ固定されてベースボードの上面を覆うようになっている。ベースボードの上面と押さえシートとの間に被梱包物を納めた状態からベースボードの立ち下がり部分を折り返すと押さえシートが緊張して被梱包物をベースボードの上面の所定の位置に保持するようになっている。
【先行技術文献】
【特許文献】
【０００３】
【特許文献１】特許第４３９５６７５号公報
【発明の概要】
【発明が解決しようとする課題】
【０００４】
特許文献１のものは、ベースボードの上面側において被梱包物を保持する構成となっている。
【０００５】
この発明が解決しようとする主たる問題点は、この種の梱包材に、これを構成するベース板を挟んだ両側においてそれぞれ、被梱包物を合理的に保持できる構造を付与する点にある。
【課題を解決するための手段】
【０００６】
前記課題を達成するために、この発明にあっては、梱包材を、
ベース板と、
前記ベース板の表面側との間で被梱包物を保持する押さえシートとを備えてなり、
前記被梱包物を保持した状態で外箱内に納められる梱包材であって、
前記ベース板は、第一縦辺部とこれに対向する第二縦辺部との間にあって前記ベース板を左右に区分する山折り用箇所と、
上辺部よりも前記ベース板の中心側にあって前記上辺部と実質的に平行をなす上側谷折り用線と、
下辺部よりも前記ベース板の中心側にあって前記下辺部と実質的に平行をなす下側谷折り用線と、
前記上辺部と前記上側谷折り用線との間にある上側領域を左右に分離する前記山折り用箇所を通る仮想の直線に実質的に沿った上側スリットと、
前記下辺部と前記下側谷折り用線との間にある下側領域を左右に分離する前記山折り用箇所を通る仮想の直線に実質的に沿った下側スリットとを有しており、
前記押さえシートは、前記第一縦辺部に一端部側を止着し、かつ、前記第二縦辺部に他端部側を止着させており、
前記ベース板における前記第一縦辺部と前記山折り用箇所と上側谷折り用線と下側谷折り用線とに囲まれた第一領域、及び、前記ベース板における前記第二縦辺部と前記山折り用箇所と上側谷折り用線と下側谷折り用線とに囲まれた第二領域の双方又はいずれか一方において前記ベース板の表面と前記押さえシートとの間に前記被梱包物を入れ込み、前記山折り用箇所を利用した折りにより前記第一領域の裏面側に前記第二領域が位置されるようにすることで前記保持がなされると共に、
前記ベース板の前記上側領域における前記上側スリットを挟んだ一方側は、前記上側谷折り用線を利用した折りにより前記上側領域を横向きにした状態で、前記第一領域側において、前記外箱の天面に突き当たり、
前記ベース板の前記上側領域における前記上側スリットを挟んだ他方側は、前記上側谷折り用線を利用した折りにより前記上側領域を横向きにした状態で、前記第二領域側において、前記外箱の天面に突き当たり、
前記ベース板の前記下側領域における前記下側スリットを挟んだ一方側は、前記下側谷折り用線を利用した折りにより前記下側領域を横向きにした状態で、前記第一領域側において、前記外箱の底面に突き当たり、
前記ベース板の前記下側領域における前記下側スリットを挟んだ他方側は、前記下側谷折り用線を利用した折りにより前記下側領域を横向きにした状態で、前記第二領域側において、前記外箱の底面に突き当たるようになっている、ものとした。
【０００７】
かかる構成によれば、（１）先ず、下側谷折り用線を利用して下側スリットの両側においてそれぞれ、下側領域を前方に向けて折ることができる。
（２）次に、第一領域の表面と押さえシートとの間、及び、第二領域の表面と押さえシートとの間、あるいは、第一領域の表面と押さえシートとの間、又は、第二領域の表面と押さえシートとの間に、被梱包物を納めることができる。
（３）次に、山折り用箇所を利用して第二領域を第一領域の裏面側に位置されるように折ると、押さえシートにより被包装物を第一領域及び第二領域の表面の所望の位置に押しつけ、保持することができる。
（４）次に、上側谷折り用線を利用して、第一領域側及び第二領域側においてぞれぞれ、上側領域が第一領域及び第二領域に対して直角となるように折ることができる。
（５）最後に、被包装物を保持した梱包材を外箱に収める。梱包材は、外箱の天面に上側領域で接し、外箱の底面に下側領域で接するようにできることから、保持された被梱包物は外箱の天面及び底面に直接的には接しない状態で外箱内に納められる。また、第一領域側では上側領域及び下側領域が第一領域の前方に位置される外箱の側面に接し、かつ、第二領域側では上側領域及び下側領域が第二領域の前方に位置される外箱の側面に接するようにできることから、保持された被梱包物は外箱の側面にも接しないようにすることができる。
【０００８】
前記ベース板は、前記山折り用箇所と前記第二縦辺部との間において、前記山折り用箇所と実質的に平行をなす追加山折り用線によって左右に区分されており、
前記追加山折り用線と前記第二縦辺部との間の外側領域が、前記山折り用箇所を利用した折りにより前記第一領域の裏面側に前記第二領域が位置されるようにしたときに、前記山折り用箇所と前記追加山折り用線との間の内側領域と前記第一領域との間に折り込まれるようになっていると共に、
前記外側領域に前記山折り用箇所及び前記追加山折り用線と実質的に平行をなす補助谷折り用線を有するようにすることが、この発明の態様の一つとされる。この場合さらに、前記外側領域に、隣り合う補助谷折り用線との間に間隔開けて、二以上の補助谷折り用線を備えさせておくことが、この発明の態様の一つとされる。
【発明の効果】
【０００９】
この発明によれば、ベース板の表面と押さえシートとの間に被包装物を納めた状態から折りを施すことで被梱包物を保持する梱包材に、これを構成するベース板を挟んだ両側においてそれぞれ、被梱包物を合理的に保持できる構造を付与することができる。
【図面の簡単な説明】
【００１０】
【図１】図１は、この発明の一実施の形態にかかる梱包材（第一例）の表面図であり、立体化前の状態を示している。
【図２】図２は、前記第一例の斜視図である。
【図３】図３は、前記第一例の第一領域及び第二領域と押さえシートの間に被梱包物を納めた状態を示した斜視図である。
【図４】図４は、図３の状態から、山折り用箇所でベース板を二つ折りにすると共に、上側領域と下側領域とをそれぞれ折りにより水平方向に突き出させた状態の斜視図である。
【図５】図５は、被梱包物を保持した前記第一例の梱包材を外箱に収めた様子を示した断面構成図である。
【図６】図６は、前記第一例の構成の一部を変更した梱包材（第二例）の表面図であり、立体化前の状態を示している。
【図７】図７は、前記第二例の斜視図である。
【図８】図８は、前記第二例の第二領域の外側領域を補助谷折り用線で折って押さえシートに余裕を作った様子を示した斜視図である。
【図９】図９は、図８の状態からベース板と押さえシートの間に被梱包物を納めた状態を示した斜視図である。
【図１０】図１０は、図９の状態から、山折り用箇所でベース板を二つ折りにすると共に、第一領域と第二領域の内側領域との間に、第二領域の外側領域を折り込む様子を示した斜視図である。
【図１１】図１１は、図１０の状態からベース板を完全に折ると共に、上側領域を折りにより水平方向に突き出させた状態の斜視図である。
【図１２】図１２は、被梱包物を保持した前記第二例の梱包材を外箱に収めた様子を示した断面構成図である。
【発明を実施するための形態】
【００１１】
以下、図１〜図１２に基づいて、この発明の典型的な実施の形態について、説明する。この実施の形態にかかる梱包材１は、被梱包物Ｍを保持した状態で外箱Ｂ内に納められるものであり、外箱Ｂ内の所望の位置に被梱包物Ｍを位置づけるように機能するものである。
【００１２】
かかる梱包材１は、ベース板２と、前記ベース板２の表面２ａ側との間で被梱包物Ｍを保持する押さえシート３とを備えてなる。
【００１３】
前記ベース板２としては、典型的には、段ボールシート、板紙などを用いることができる。
【００１４】
前記押さえシート３としては、典型的には、合成樹脂製のシートなどを用いることができる。
【００１５】
ベース板２は、第一縦辺部４と、第二縦辺部５と、上辺部６と、下辺部７とを備えた、実質的に四角形の外形を有している。
【００１６】
第一縦辺部４とこれに対向する第二縦辺部５との間には、前記ベース板２を左右に区分する山折り用箇所８が形成されている。
【００１７】
図示の例では、前記山折り用箇所８は、前記第一縦辺部４及び第二縦辺部５に平行をなす、山折り用線８ａによって構成されている。本明細書における折り用線は、罫線、ハーフカット、リード罫、ミシン刃など、段ボールシートなどに折りを施しやすくする公知の手法を用いて構成される。
【００１８】
図示の例では、前記山折り用箇所８によって、ベース板２は左右に二分されている。
【００１９】
また、ベース板２には、上辺部６よりも前記ベース板２の中心側にあって前記上辺部６と実質的に平行をなす上側谷折り用線９と、
下辺部７よりも前記ベース板２の中心側にあって前記下辺部７と実質的に平行をなす下側谷折り用線１０と、が施されている。
【００２０】
これらにより、前記ベース板２は、以下の領域に区分されている。
（第一領域１１）
前記第一縦辺部４と前記山折り用箇所８と上側谷折り用線９と下側谷折り用線１０とに囲まれた四角形の領域
（第二領域１２）
前記第二縦辺部５と前記山折り用箇所８と上側谷折り用線９と下側谷折り用線１０とに囲まれた四角形の領域
（上側領域１３）
前記上辺部６と前記上側谷折り用線９との間にある領域
（下側領域１４）
前記下辺部７と前記下側谷折り用線１０との間にある領域
【００２１】
前記押さえシート３は、前記第一縦辺部４に一端部３ａ側を止着し、かつ、前記第二縦辺部５に他端部３ｂ側を止着させている（図２）。
【００２２】
図示の例では、押さえシート３は、ベース板２の第一縦辺部４と第二縦辺部５との間の距離よりもやや大きいＸ方向（図１における左右方向）の寸法と、ベース板２の上側谷折り用線９と下側谷折り用線１０との間の距離と実質的に等しいＹ方向（Ｘ方向に直交する方向／図１における上下方向）の寸法とを備えた四角形の輪郭を備えている。図示の例では、押さえシート３のＹ方向に沿った一端部３ａをベース板２の裏面２ｂ側において第一縦辺部４に接着し、押さえシート３のＹ方向に沿った他端部３ｂをベース板２の裏面２ｂ側において第二縦辺部５に接着して、ベース板２の表面２ａにおける前記第一領域１１及び前記第二領域１２の全体を、押さえシート３によって覆っている。
【００２３】
また、ベース板２には、
前記上辺部６と前記上側谷折り用線９との間にある上側領域１３を左右に分離する前記山折り用箇所８を通る仮想の直線Ｌ（図１参照）に実質的に沿った上側スリット１５と、
前記下辺部７と前記下側谷折り用線１０との間にある下側領域１４を左右に分離する前記山折り用箇所８を通る仮想の直線Ｌに実質的に沿った下側スリット１６とが形成されている。
【００２４】
そして、前記ベース板２における前記第一縦辺部４と前記山折り用箇所８との間の第一領域１１、及び、前記ベース板２における前記第二縦辺部５と前記山折り用箇所８との間の第二領域１２の双方又はいずれか一方において前記ベース板２の表面２ａと前記押さえシートとの間に前記被梱包物Ｍを入れ込み（図３）、前記山折り用箇所８を利用した折りにより前記第一領域１１の裏面２ｂ側に前記第二領域１２が位置されるようにすることで前記被梱包物Ｍの保持がなされるようになっている（図４）。
【００２５】
それとと共に、
前記ベース板２の前記上側領域１３における前記上側スリット１５を挟んだ一方側は、前記上側谷折り用線９を利用した折りにより前記上側領域１３を横向きにしたときに、前記第一領域１１側において、前記外箱Ｂの天面Ｂａに突き当たり、
前記ベース板２の前記上側領域１３における前記上側スリット１５を挟んだ他方側は、前記上側谷折り用線９を利用した折りにより前記上側領域１３を横向きにしたときに、前記第二領域１２側において、前記外箱Ｂの天面Ｂａに突き当たり、
前記ベース板２の前記下側領域１４における前記下側スリット１６を挟んだ一方側は、前記下側谷折り用線１０を利用した折りにより前記下側領域１４を横向きにしたときに、前記第一領域１１側において、前記外箱Ｂの底面Ｂｂに突き当たり、
前記ベース板２の前記下側領域１４における前記下側スリット１６を挟んだ他方側は、前記下側谷折り用線１０を利用した折りにより前記下側領域１４を横向きにしたときに、前記第二領域１２側において、前記外箱Ｂの底面Ｂｂに突き当たるようになっている。
【００２６】
具体的には、（１）先ず、下側谷折り用線１０を利用して下側スリット１６の両側においてそれぞれ、下側領域１４を前方に向けて折る（図３）。
（２）次に、第一領域１１の表面２ａと押さえシート３との間、及び、第二領域１２の表面２ａと押さえシート３との間、あるいは、第一領域１１の表面２ａと押さえシート３との間、又は、第二領域１２の表面２ａと押さえシート３との間に、被梱包物Ｍを納める（図３）。
（３）次に、山折り用箇所８を利用して第二領域１２を第一領域１１の裏面２ｂ側に位置されるように折ると、押さえシート３により被包装物は第一領域１１及び第二領域１２の表面２ａの所望の位置に押しつけられ、保持される（図４）。
（４）次に、上側谷折り線を利用して、第一領域１１側及び第二領域１２側においてぞれぞれ、上側領域１３が第一領域１１及び第二領域１２に対して直角となるように折る（図４）。
（５）最後に、被包装物を保持した梱包材を外箱Ｂに収める。梱包材１は、外箱Ｂの天面Ｂａに第上側領域１３で接し、外箱Ｂの底面Ｂｂに下側領域１４で接するようにできることから、保持された被梱包物Ｍは外箱Ｂの天面Ｂａ及び底面Ｂｂに直接的には接しない状態で外箱Ｂ内に納められる。また、第一領域１１側では上側領域１３及び下側領域１４が第一領域１１の前方に位置される外箱Ｂの側面に接し、かつ、第二領域１２側では上側領域１３及び下側領域１４が第二領域１２の前方に位置される外箱Ｂの側面に接するようにできることから、保持された被梱包物Ｍは外箱Ｂの側面にも接しないようにすることができる（図５）。
【００２７】
図６〜図１２に示される例は、前記ベース板２を、前記山折り用箇所８と前記第二縦辺部５との間において、前記山折り用箇所８と実質的に平行をなす追加山折り用線１７によって左右に区分させている。
【００２８】
それと共に、前記追加山折り用線１７と前記第二縦辺部５との間の外側領域１２ｂが、前記山折り用箇所８を利用した折りにより前記第一領域１１の裏面２ａ側に前記第二領域１２が位置されるようにしたときに、前記山折り用箇所８と前記追加山折り用線１７との間の内側領域１２ａと前記第一領域１１との間に折り込まれるようになっている（図１０）。すなわち、この図６〜図１２に示される例では、第二領域１２のうちの内側領域１２ａとオーバーラップする箇所が押さえシート３との間で被梱包物Ｍを保持する箇所となっている。
【００２９】
そして、前記外側領域１２ｂに前記山折り用箇所８及び前記追加山折り用線１７と実質的に平行をなす補助谷折り用線１８を形成させている。
【００３０】
補助谷折り用線１８を利用して、外側領域１２ｂを折ると、第一縦辺部４と第二縦辺部５との間の距離が小さくなることから、前記Ｘ方向において押さえシート３に余裕（たるみ）を生じさせることができる（図８）。これにより、外側領域１２ｂを折らない状態ではベース板２の第一領域１１の表面２ａと押さえシート３との間に納め難い大きさの被梱包物Ｍも外側領域１２ｂを折ることで納められるようになる（図９）。外側領域１２ｂを折った状態でベース板２の第一領域１１の表面２ａと押さえシート３との間、及び第二領域１２のうちの内側領域１２ａとオーバーラップする箇所の表面２ａと押さえシート３との間に被梱包物Ｍを納めた状態から、山折り用箇所８を利用して第二領域１２を第一領域１１の裏面２ｂ側に位置されるように折れば、前記と同様に押さえシート３により第一領域１１の表面２ａ及び第二領域１２のうちの内側領域１２ａとオーバーラップする箇所の表面２ａの所望の位置に被梱包物Ｍを押しつけこれを保持することができる。
【００３１】
図示の例では、前記外側領域１２ｂに、隣り合う補助谷折り用線１８との間に間隔開けて、二つの補助谷折り用線１８、１８を備えさせている。
【００３２】
山折り用線８に近い側の補助谷折り用線１８を利用した第二領域１２を折った場合ほど、押さえシート３の余裕は大きくなる。このようにすれば、被梱包物Ｍの大きさに応じて押さえシート３の余裕を数段階に調整することが可能となる。
【００３３】
補助谷折り用線１８は、第二領域１２に、三箇所以上設けさせるようにしてあっても構わない。
【００３４】
図６〜図１２に示される例では、山折り用箇所８は、二条の山折り用線８ｂ、８ｂから構成されている。二条の山折り用線８ｂ、８ｂ間には前記Ｘ方向において若干の間隔８ｃが形成されている。これにより、この例では、第一領域１１の裏面２ｂ側に第二領域１２を位置させるように山折り用箇所８を利用して折ったときに、第一領域１１と内側領域１２ａとの間に外側領域１２ｂが折り込み可能な余裕が形成されるようになっている。
【００３５】
なお、この例では、前記外側領域１２ｂは、上側領域１３を持つが、下側領域１４は持たないようになっている。すなわち、内側領域１２ａのみが下側領域１４を持つようになっている。これは、外側領域１２ｂにも下側領域１４を形成させておくと、下側谷折り用線１０を利用して下側スリット１６の両側においてそれぞれ、下側領域１４を前方に向けて折った状態から、補助谷折り用線１８を利用して外側領域１２ｂを折ることができなくなるからである。
【００３６】
なお、当然のことながら、本発明は以上に説明した実施態様に限定されるものではなく、本発明の目的を達成し得るすべての実施態様を含むものである。
【符号の説明】
【００３７】
Ｍ  被梱包物
Ｂ  外箱
１  梱包材
２  ベース板
２ａ  表面
３  押さえシート
３ａ  一端部
３ｂ  他端部
４  第一縦辺部
５  第二縦辺部
６  上辺部
７  下辺部
８  山折り用箇所
９  上側谷折り用線
１０  下側谷折り用線
１３  上側領域
１４  下側領域
１５  上側スリット
１６  下側スリット
【図１】
2018177257.tif 000003
【図２】
2018177257.tif 000004
【図３】
2018177257.tif 000005
【図４】
2018177257.tif 000006
【図５】
2018177257.tif 000007
【図６】
2018177257.tif 000008
【図７】
2018177257.tif 000009
【図８】
2018177257.tif 000010
【図９】
2018177257.tif 000011
【図１０】
2018177257.tif 000012
【図１１】
2018177257.tif 000013
【図１２】
2018177257.tif 000014